(57)【要約】【課題】第１及び第２の配線基板を、夫々に取り付けられた第１及び第２のコネクタを用いて、確実に対面近接重ね合わせ連結状態におくことができるとともに、コンタクト配列方向に直交する方向の寸法の低減を図ることができる配線基板連結装置を提供する。【解決手段】絶縁ハウジング１３に配された複数のリセプタクル側コンタクト１４を有したリセプタクルコネクタ１１と絶縁ハウジング３３に配された複数のプラグ側コンタクト３４を有したプラグコネクタ３１とを含み、絶縁ハウジング３３が絶縁ハウジング１３の係合凸部１７に外嵌係合する環状体を成し、各プラグ側コンタクト３４が、環状体の内側部分に配されてリセプタクル側コンタクト１４の接触部１４ａに接触する接触部３４ａとそれから伸びて絶縁ハウジング３３により保持される被保持部３４ｂとそれから屈曲して伸びて環状体により包囲された内側空間Ｓ内に突出する基板接続部３４ｃを備える。【選択図】図１２
2018190600.tif 000002
【特許請求の範囲】
【請求項１】
第１の配線基板に配される第１の絶縁ハウジング、及び、各々が上記第１の配線基板に設けられた配線端子部に接続される第１の基板接続部を有して上記第１の絶縁ハウジングに配列配置された複数の第１のコンタクトを備えた第１のコネクタと、
第２の配線基板に配されて上記第１の絶縁ハウジングとの係合状態をとる第２の絶縁ハウジング、及び、各々が上記第２の配線基板に設けられた配線端子部に接続される第２の基板接続部を有して上記第２の絶縁ハウジングに配列配置され、上記複数の第１のコンタクトに夫々接触接続される状態をとる複数の第２のコンタクトを備えた第２のコネクタと、
を含んで構成され、
上記第１の絶縁ハウジングが、上記複数の第１のコンタクトの配列方向に延びる係合凸部を有し、上記複数の第１のコンタクトの夫々が上記係合凸部に配された第１の接触部を有したものとされ、
上記第２の絶縁ハウジングが、上記第１の絶縁ハウジングの係合凸部に外嵌係合する環状体を成し、上記複数の第２のコンタクトの夫々が、上記環状体の内側部分に配されて上記第１の接触部に接触する状態をとる第２の接触部と該第２の接触部から伸びて上記第２の絶縁ハウジングにより保持された被保持部とを有していて、上記第２の基板接続部が上記被保持部から屈曲して伸びて上記第２の絶縁ハウジングにおける上記環状体により包囲された内側空間内に突出するものとされたことを特徴とする配線基板連結装置。
【請求項２】
上記複数の第１のコンタクトの夫々が、上記第１の接触部から伸びて上記係合凸部により保持された被保持部を有していて、上記第１の基板接続部が上記第１のコンタクトの被保持部から屈曲して伸びて上記係合凸部の外部に露出するものとされたことを特徴とする請求項１記載の配線基板連結装置。
【請求項３】
上記第１のコネクタが、上記第１の絶縁ハウジング及び該第１の絶縁ハウジングに配列配置された上記複数の第１のコンタクトを、複数の上記第１の基板接続部の外側において包囲して配され、上記第１の配線基板における接地電位部に接続される導電性シェルを備えていることを特徴とする請求項２記載の配線基板連結装置。
【請求項４】
上記第２のコネクタが、上記第２の絶縁ハウジングを該第２の絶縁ハウジングの外側において包囲して配され、上記第２の配線基板における接地電位部に接続される導電性シェルを備えていることを特徴とする請求項１記載の配線基板連結装置。
【請求項５】
上記第１のコネクタが、上記第１の絶縁ハウジング及び該第１の絶縁ハウジングに配列配置された上記複数の第１のコンタクトを、複数の上記第１の基板接続部の外側において包囲して配され、上記第１の配線基板における接地電位部に接続される第１の導電性シェルを備えているとともに、上記第２のコネクタが、上記第２の絶縁ハウジングを該第２の絶縁ハウジングの外側において包囲して配され、上記第２の配線基板における接地電位部に接続される第２の導電性シェルを備えていて、上記第２の絶縁ハウジングが上記第１の絶縁ハウジングとの係合状態をとるとき、上記第２の導電性シェルが上記第１の導電性シェルに接触接続されることを特徴とする請求項１記載の配線基板連結装置。
【請求項６】
上記複数の第１のコンタクトの夫々における上記第１の接触部が、弾性を具えたものとされ、上記複数の第２のコンタクトの夫々における上記第２の接触部が上記第１の接触部に接触するとき、該第２の接触部に弾性力を作用させることを特徴とする請求項１記載の配線基板連結装置。
【請求項７】
上記複数の第１のコンタクトが夫々有する複数の第１の接触部が、上記第１の絶縁ハウジングが有する上記係合凸部における各々が上記複数の第１のコンタクトの配列方向に延びる一対の並行外壁面部に夫々配列配置された第１及び第２の接触部群を成すものとされ、上記複数の第２のコンタクトが夫々有する複数の第２の接触部が、上記第２の絶縁ハウジングが成す上記環状体の内側部分における、各々が上記複数の第２のコンタクトの配列方向に延びる一対の相互対向する内壁面部に夫々配列配置された第３及び第４の接触部群を成すものとされたことを特徴とする請求項１記載の配線基板連結装置。
【発明の詳細な説明】
【技術分野】
【０００１】
本願の特許請求の範囲に記載された発明は、二つの配線基板が相互に対面近接して重ね合わせられるもとで、各配線基板に設けられた配線端子部に電気的に相互接続された状態をとらせて、両配線基板を連結する配線基板連結装置に関する。
【背景技術】
【０００２】
携帯電話機等の比較的小型な電子機器においても、種々の電子部品が多数内蔵されるが、それらの電子部品の多くは複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって、両者の夫々に設けられた配線端子部が電気的に相互接続されるものとされる。このような二つの配線基板の夫々に設けられた配線端子部を電気的に相互接続するための、二つの配線基板のうちの一方が他方に対面近接して重ね合わせられて行われる連結態様を、以下においては対面近接重ね合わせ連結ということとする。
【０００３】
一般に、各々がフレキシブル印刷配線基板（ＦＰＣ）あるいはソリッド配線基板等とされる複数の配線基板の相互連結は、各配線基板にコネクタが取り付けられ、それらのコネクタが相互接続されることにより行われることが多く、二つの配線基板についての対面近接重ね合わせ連結を行う場合においても、各配線基板に取り付けられるコネクタが用いられる。このようなもとで、従来にあっては、二つの配線基板についての対面近接重ね合わせ連結をするためのコネクタを含んだ配線基板連結装置が幾つか提案されている（例えば、特許文献１参照。）。
【０００４】
特許文献１に示される配線基板連結装置（コネクタ）は、第１の配線基板（プリント基板(P))及び第２の配線基板（プリント基板）が対面近接重ね合わせ連結の対象とされるもとで、第１の配線基板に取り付けられる第１のコネクタ（ソケット(20)) と第２の配線基板に取り付けられる第２のコネクタ（ヘッダ(40)) とを含んで構成されている。第１のコネクタは、第１の絶縁ハウジング（第１のボディ(21)) に配列配置された複数の第１のコンタクト（コンタクト(22)) を備えており、また、第２のコネクタは、第２の絶縁ハウジング（第２のボディ(41)) に配列配置された複数の第２のコンタクト（ポスト(42)) を備えている。
【０００５】
第１のコネクタにおける複数の第１のコンタクトの夫々は、第１の絶縁ハウジングの側壁(24A) によって保持された保持部(27)と、保持部から屈曲して伸びて第１の絶縁ハウジングの外方に突出し、第１の配線基板における配線端子部に半田付けされる第１の基板接続部（端子部(26)) とを有したもとで、保持部の一部分である側片(27c) と接触片(22d) とによって、相互対向する一対の導電部材から成る第１の接触部を形成している。また、第２のコネクタにおける複数の第２のコンタクトの夫々は、第２の絶縁ハウジングの側壁(44A) によって保持された、相互対向する一対の導電部材から成る第２の接触部（接触面部(42a,42b))と、第２の接触部のうちの接触面部(42b) から屈曲して伸びて第２の絶縁ハウジングの外方に突出し、第２の配線基板における配線端子部に半田付けされる第２の基板接続部（端子部(43)) とを有している。
【０００６】
このようなもとで、第１のコネクタにおける複数の第１のコンタクトの夫々が有する第１の基板接続部が半田付けされた第１の配線基板の面に、第２のコネクタにおける複数の第２のコンタクトの夫々が有する第２の基板接続部が半田付けされた第２の配線基板の面が対向するものとされて、第２の配線基板が第１の配線基板に対面近接して重ね合わせられる状態がとられ、それにより、第２のコネクタが第１のコネクタに係合せしめられて、第２のコネクタが備える複数の第２のコンタクトの夫々における第２の接触部が、第１のコネクタが備える複数の第１のコンタクトのうちの対応するものにおける第１の接触部に接触接続される。それにより、第１のコネクタが備える複数の第１のコンタクトと第２のコネクタが備える複数の第２のコンタクトとが相互接触接続されて、第１の配線基板における配線端子部と第２の配線基板における配線端子部とが電気的に相互接続され、第１の配線基板と第２の配線基板とについての対面近接重ね合わせ連結が行われる。
【先行技術文献】
【特許文献】
【０００７】
【特許文献１】特開２００４−５５４６３号公報
【発明の概要】
【発明が解決しようとする課題】
【０００８】
上述のような、従来提案されている二つの配線基板についての対面近接重ね合わせ連結を行うための第１及び第２のコネクタを含んだ配線基板連結装置にあっては、次のような不都合が見られる。
【０００９】
即ち、特許文献１に示される配線基板連結装置にあっては、第１のコネクタが備える複数の第１のコンタクトの夫々が、それにおける第１の接触部が相互対向する一対の導電部材によって形成されており、また、それが有する第１の基板接続部が、第１の絶縁ハウジングの側壁によって保持された保持部から屈曲して伸びて第１の絶縁ハウジングの外方に突出するものとされており、さらに、第２のコネクタが備える複数の第２のコンタクトの夫々が、それにおける第２の接触部が相互対向する一対の導電部材によって形成されており、また、それが有する第２の基板接続部が、第２の絶縁ハウジングの側壁によって保持された第２の接触部から屈曲して伸びて第２の絶縁ハウジングの外方に突出するものとされている。それにより、第１のコネクタにおける複数の第１のコンタクトの配列方向に直交する方向の寸法が比較的大とされることになり、複数の第１のコンタクトの夫々が有する第１の基板接続部が半田付けされる配線端子部が設けられた第１の配線基板の面上における第１のコネクタの取付けに要される面積が不所望に大なるものとなって、第１の配線基板における部品搭載利用率を低下させてしまうことになるという不都合がある。また、同様に、第２のコネクタにおける複数の第２のコンタクトの配列方向に直交する方向の寸法が比較的大とされることになり、複数の第２のコンタクトの夫々が有する第２の基板接続部が半田付けされる配線端子部が設けられた第２の配線基板の面上における第２のコネクタの取付けに要される面積が不所望に大なるものとなって、第２の配線基板における部品搭載利用率を低下させてしまうことになるという不都合がある。
【００１０】
さらに、特許文献１に示される配線基板連結装置にあっては、第１のコネクタが備える複数の第１のコンタクトが、それらが夫々有する複数の第１の基板接続部を第１の絶縁ハウジングの外方に突出させているにもかかわらず、それらに電磁シールド作用をもたらす手段が備えられていないものとされており、また、第２のコネクタが備える複数の第２のコンタクトが、それらが夫々有する複数の第２の基板接続部を第２の絶縁ハウジングの外方に突出させているにもかかわらず、それらに電磁シールド作用をもたらす手段が備えられていないものとされている。その結果、第１のコネクタが備える複数の第１のコンタクト及び第２のコネクタが備える複数の第２のコンタクトに高周波信号が流れる際には、例えば、複数の第１及び第２のコンタクトから第１及び第２のコネクタの外部にとって不所望な電磁波が漏出される等の電磁障害を生じることになるという不都合もある。
【００１１】
斯かる点に鑑み、本願の特許請求の範囲に記載された発明は、第１の配線基板と第２の配線基板とを対面近接重ね合わせ連結によって電気的に相互連結するための機構を成すものであって、第１の配線基板に配される第１の絶縁ハウジング及び第１の絶縁ハウジングに配列配置された複数の第１のコンタクトを有した第１のコネクタと、第２の配線基板に配されて第１の絶縁ハウジングに係合する第２の絶縁ハウジング及び第２の絶縁ハウジングに配列配置されて複数の第１のコンタクトに夫々接触接続される複数の第２のコンタクトを有した第２のコネクタと、を含んで構成され、第１のコネクタ及び第２のコネクタについての複数の第１あるいは第２のコンタクトの配列方向に直交する方向の寸法の低減を図ることができ、さらには、第１のコネクタ及び第２のコネクタについての複数の第１あるいは第２のコンタクトの配列方向に直交する方向の寸法の低減が図られたもとで、各々が第１の基板接続部を有した複数の第１のコンタクト及び各々が第２の基板接続部を有した複数の第２のコンタクトに効果的な電磁シールド作用をもたらすものとすることができる配線基板連結装置を提供する。
【課題を解決するための手段】
【００１２】
本願の特許請求の範囲における請求項１から請求項７までのいずれかに記載された発明（以下、本願発明という。）に係る配線基板連結装置は、第１の配線基板に配される第１の絶縁ハウジング、及び、各々が第１の配線基板に設けられた配線端子部に接続される第１の基板接続部を有して第１の絶縁ハウジングに配列配置された複数の第１のコンタクトを備えた第１のコネクタと、第２の配線基板に配されて第１の絶縁ハウジングとの係合状態をとる第２の絶縁ハウジング、及び、各々が第２の配線基板に設けられた配線端子部に接続される第２の基板接続部を有して第２の絶縁ハウジングに配列配置され、複数の第１のコンタクトに夫々接触接続される状態をとる複数の第２のコンタクトを備えた第２のコネクタとを含んで構成される。そして、このような本願発明に係る配線基板連結装置においては、第１のコネクタが備える第１の絶縁ハウジングが、複数の第１のコンタクトの配列方向に延びる係合凸部を有し、複数の第１のコンタクトの夫々が係合凸部に配された第１の接触部を有したものとされ、さらに、第２のコネクタが備える第２の絶縁ハウジングが、第１の絶縁ハウジングの係合凸部に外嵌係合する環状体を成し、複数の第２のコンタクトの夫々が、第２の絶縁ハウジングが成す環状体の内側部分に配されて第１の接触部に接触する状態をとる第２の接触部と第２の接触部から伸びて第２の絶縁ハウジングにより保持された被保持部とを有していて、第２の基板接続部が被保持部から屈曲して伸びて第２の絶縁ハウジングにおける当該第２の絶縁ハウジングが成す環状体により包囲された内側空間内に突出するものとされる。
【００１３】
特に、本願の特許請求の範囲における請求項２に記載された本願発明に係る配線基板連結装置にあっては、第１のコネクタにおける複数の第１のコンタクトの夫々が、第１の接触部から伸びて係合凸部により保持された被保持部を有していて、第１の基板接続部が第１のコンタクトの被保持部から屈曲して伸びて係合凸部の外部に露出するものとされる。
【００１４】
上述のような本願発明に係る配線基板連結装置にあっては、第１のコネクタが第１の配線基板に配される第１の絶縁ハウジングを備え、第２のコネクタが第２の配線基板に配される第２の絶縁ハウジングを備えたもとにおいて、第１のコネクタにおける第１の絶縁ハウジングが、各々が第１の基板接続部を有した複数の第１のコンタクトの配列方向に延びる係合凸部を有しており、当該係合凸部に複数の第１のコンタクトの夫々における第１の接触部が配されたものとされるとともに、第２のコネクタにおける第２の絶縁ハウジングが、第１の絶縁ハウジングの係合凸部に外嵌係合する環状体を成しており、当該環状体の内側部分に各々が第２の基板接続部を有した複数の第２のコンタクトの夫々における第２の接触部が第１の接触部に接触する状態をとるものとして配されたものとされている。そして、複数の第２のコンタクトの夫々には、第２の絶縁ハウジングが成す環状体の内側部分に配された第２の接触部から伸びて第２の絶縁ハウジングにより保持された被保持部が設けられており、複数の第２のコンタクトの夫々が有する第２の基板接続部は、被保持部から屈曲して伸びて第２の絶縁ハウジングにおける当該第２の絶縁ハウジングが成す環状体により包囲された内側空間内に突出するものとされている。
【００１５】
このようなもとで、第１のコネクタにおける第１の絶縁ハウジングが第１の配線基板に配され、第１のコネクタにおける複数の第１のコネクタの夫々が有する第１の基板接続部が第１の配線基板に設けられた配線端子に接続されて、第１のコネクタが第１の配線基板に取り付けられる。また、第２のコネクタにおける第２の絶縁ハウジングが第２の配線基板に配され、第２のコネクタにおける複数の第２のコネクタの夫々が有する第２の基板接続部が第２の配線基板に設けられた配線端子に接続されて、第２のコネクタが第２の配線基板に取り付けられる。そして、第１の配線基板に取り付けられた第１のコネクタに、第２の配線基板に取り付けられた第２のコネクタが、環状体をなす第２の絶縁ハウジングを第１の絶縁ハウジングの係合凸部に外嵌係合させて、複数の第２のコンタクトの夫々が有する複数の第２の接触部を複数の第１のコンタクトのうちの対応するものが有する第１の接触部に接触接続されるものとして係合せしめられるものとされ、それにより、第１の配線基板と第２の配線基板とについての対面近接重ね合わせ連結が行われる。
【００１６】
特に、本願の特許請求の範囲における請求項２に記載された本願発明に係る配線基板連結装置の場合には、第２のコネクタにおける複数の第２のコンタクトの夫々に、第２の絶縁ハウジングが成す環状体の内側部分に配された第２の接触部から伸びて第２の絶縁ハウジングにより保持された被保持部が設けられており、複数の第２のコンタクトの夫々が有する第２の基板接続部が、被保持部から屈曲して伸びて第２の絶縁ハウジングにおける当該第２の絶縁ハウジングが成す環状体により包囲された内側空間内に突出するものとされていることに加えて、第１のコネクタにおける複数の第１のコンタクトの夫々が、第１の絶縁ハウジングにおける係合凸部に配された第１の接触部から伸びて係合凸部により保持された被保持部を有していて、第１の基板接続部が第１のコンタクトの被保持部から屈曲して伸びて係合凸部の外部に露出するものとされる。
【００１７】
また、本願発明に係る配線基板連結装置の一例にあっては、第１のコネクタが、第１の絶縁ハウジング及びそれに配列配置された複数の第１のコンタクトを、複数の第１のコンタクトが夫々有する複数の第１の基板接続部の外側において包囲して配され、第１の配線基板における接地電位部に接続された導電性シェルを備えたものとされる態様、第２のコネクタが、第２の絶縁ハウジングをその外側において包囲して配され、第２の配線基板における接地電位部に接続された導電性シェルを備えたものとされる態様、あるいは、第１のコネクタが、第１の絶縁ハウジング及びそれに配列配置された複数の第１のコンタクトを、複数の第１のコンタクトが夫々有する複数の第１の基板接続部の外側において包囲して配され、第１の配線基板における接地電位部に接続された第１の導電性シェルを備えたものとされ、かつ、第２のコネクタが、第２の絶縁ハウジングをその外側において包囲して配され、第２の配線基板における接地電位部に接続された第２の導電性シェルを備えたものとされる態様がとられる。斯かる態様をとる本願発明に係る配線基板連結装置の一例において、第１のコネクタが備える導電性シェルは、各々が第１の基板接続部を有した複数の第１のコンタクトに対する電磁シールド作用をもたらすものとされ、また、第２のコネクタが備える導電性シェルは、各々が第２の基板接続部を有した複数の第２のコンタクトに対する電磁シールド作用をもたらすものとされる。
【発明の効果】
【００１８】
本願発明に係る配線基板連結装置にあっては、第２のコネクタが備える第２の絶縁ハウジングが、第１の絶縁ハウジングの係合凸部に外嵌係合する環状体を成し、複数の第２のコンタクトの夫々が、第２の絶縁ハウジングが成す環状体の内側部分に配されて第１の接触部に接触する状態をとる第２の接触部と第２の接触部から伸びて第２の絶縁ハウジングにより保持された被保持部とを有していて、第２の基板接続部が被保持部から屈曲して伸びて第２の絶縁ハウジングにおける当該第２の絶縁ハウジングが成す環状体により包囲された内側空間内に突出するものとされる。それにより、複数の第２のコンタクトの夫々が有する第２の接触部が、例えば、相互対向する一対の導電部材によって形成される構成をとることなく、単一の導電部材によって形成され得るものとされ、また、複数の第２のコンタクトの夫々が有する第２の基板接続部が、第２の絶縁ハウジングの外周部からその外方に突出しないものとされる。
【００１９】
その結果、本願発明に係る配線基板連結装置によれば、第２のコネクタについての複数の第２のコンタクトの配列方向に直交する方向の寸法の低減を図ることができ、複数の第２のコンタクトの夫々が有する第２の基板接続部が半田付けされる配線端子部が設けられた第２の配線基板の面上における第２のコネクタの取付けに要される面積を低減させて、第２の配線基板における部品搭載利用率を向上させることができる。しかも、複数の第２のコンタクトの夫々が有する第２の基板接続部が、第２の配線基板に設けられた配線端子部に適正に半田付けされているか否かの目視による確認を、第２の絶縁ハウジングが成す環状体により包囲された内側空間を通じて確実に行うことができる。
【００２０】
また、本願発明に係る配線基板連結装置の一例にあっては、第２のコネクタにおける複数の第２のコンタクトの夫々に、第２の絶縁ハウジングが成す環状体の内側部分に配された第２の接触部から伸びて第２の絶縁ハウジングにより保持された被保持部が設けられており、その被保持部から第２の基板接続部が屈曲して伸びて第２の絶縁ハウジングにおける当該第２の絶縁ハウジングが成す環状体により包囲された内側空間内に突出するものとされたもとで、第１のコネクタにおける複数の第１のコンタクトの夫々が、第１の絶縁ハウジングにおける係合凸部に配された第１の接触部から伸びて係合凸部により保持された被保持部を有していて、その被保持部から第１の基板接続部が屈曲して伸びて係合凸部の外部に露出するものとされる。それにより、複数の第１のコンタクトの夫々が有する第１の接触部が、例えば、相互対向する一対の導電部材によって形成される構成をとることなく、単一の導電部材によって形成され得るものとされ、また、複数の第２のコンタクトの夫々が有する第２の基板接続部が、第２の絶縁ハウジングの外周部からその外方に突出しないものとされる。
【００２１】
その結果、本願発明に係る配線基板連結装置の一例によれば、第２のコネクタについての複数の第２のコンタクトの配列方向に直交する方向の寸法の低減を図ることができることに加えて、第１のコネクタについての複数の第１のコンタクトの配列方向に直交する方向の寸法の低減を図ることができ、複数の第１のコンタクトの夫々が有する第１の基板接続部が半田付けされる配線端子部が設けられた第１の配線基板の面上における第１のコネクタの取付けに要される面積を低減させて、第１の配線基板における部品搭載利用率を向上させることができる。
【００２２】
さらに、本願発明に係る配線基板連結装置の一例にあっては、第１のコネクタが、第１の絶縁ハウジング及びそれに配列配置された複数の第１のコンタクトを、複数の第１のコンタクトが夫々有する複数の第１の基板接続部の外側において包囲して配され、第１の配線基板における接地電位部に接続された導電性シェルを備えたものとされる第１の態様、第２のコネクタが、第２の絶縁ハウジングをその外側において包囲して配され、第２の配線基板における接地電位部に接続された導電性シェルを備えたものとされる第２の態様、あるいは、第１のコネクタが、第１の絶縁ハウジング及びそれに配列配置された複数の第１のコンタクトを、複数の第１のコンタクトが夫々有する複数の第１の基板接続部の外側において包囲して配され、第１の配線基板における接地電位部に接続された第１の導電性シェルを備えたものとされ、かつ、第２のコネクタが、第２の絶縁ハウジングをその外側において包囲して配され、第２の配線基板における接地電位部に接続された第２の導電性シェルを備えたものとされる第３の態様がとられる。そして、斯かるもとで、第１のコネクタが備える導電性シェルは、各々が第１の基板接続部を有した複数の第１のコンタクトに対する電磁シールド作用をもたらし、また、第２のコネクタが備える導電性シェルは、各々が第２の基板接続部を有した複数の第２のコンタクトに対する電磁シールド作用をもたらす。
【００２３】
その結果、上述の第１，第２あるいは第３の態様がとられた本願発明に係る配線基板連結装置の一例によれば、第１のコネクタが備える複数の第１のコンタクト及び第２のコネクタが備える複数の第２のコンタクトに高周波信号が流れるもとにおいても、第１のコネクタ及び第２のコネクタの夫々の寸法の拡大をまねくことなく、第１のコネクタが備える導電性シェルがもたらす電磁シールド作用あるいは第２のコネクタが備える導電性シェルがもたらす電磁シールド作用によって、例えば、複数の第１及び第２のコンタクトから第１及び第２のコネクタの外部にとって不所望な電磁波が漏出される等の電磁障害を生じる事態を回避することができる。
【図面の簡単な説明】
【００２４】
【図１】本願発明に係る配線基板連結装置の一例を構成するリセプタクルコネクタを、それが取り付けられた配線基板と共に示す斜視図である。
【図２】本願発明に係る配線基板連結装置の一例を構成するリセプタクルコネクタを、それが取り付けられた配線基板と共に示す側面図である。
【図３】本願発明に係る配線基板連結装置の一例を構成するリセプタクルコネクタが備える絶縁ハウジング，複数のコンタクト及び一対の固定金具を、絶縁ハウジングから複数のコンタクト及び一対の固定金具が分離された状態をもって示す斜視図である。
【図４】本願発明に係る配線基板連結装置の一例を構成するリセプタクルコネクタが備える導電性シェルを単独で示す斜視図である。
【図５】図２における V−V 線断面を示す断面図である。
【図６】本願発明に係る配線基板連結装置の一例を構成するプラグコネクタを、それが取り付けられた配線基板を仮想線によってあらわすもとで示す斜視図である。
【図７】本願発明に係る配線基板連結装置の一例を構成するプラグコネクタを、それが取り付けられた配線基板と共に示す側面図である。
【図８】本願発明に係る配線基板連結装置の一例を構成するプラグコネクタが備える絶縁ハウジング，複数のコンタクト及び一対の固定金具を、絶縁ハウジングから複数のコンタクト及び一対の固定金具が分離された状態をもって示す斜視図である。
【図９】本願発明に係る配線基板連結装置の一例を構成するプラグコネクタが備える導電性シェルを単独で示す斜視図である。
【図１０】図７における X−X 線断面を示す断面図である。
【図１１】図１に示される配線基板を伴ったリセプタクルコネクタに図６に示される配線基板を伴ったプラグコネクタが係合した状態を示す側面図である。
【図１２】図１１における XII−XII 線断面を示す断面図である。
【発明を実施するための形態】
【００２５】
本願発明を実施するための形態は、以下に述べられる本願発明に係る配線基板連結装置ついての実施例をもって説明される。
【実施例】
【００２６】
図１（斜視図）及び図２（側面図）は、本願発明に係る配線基板連結装置の一例を構成する第１のコネクタを成すリセプタクルコネクタ１１及びリセプタクルコネクタ１１が取り付けられた配線基板１２（第１の配線基板）を示す。また、図３（斜視図）及び図４（斜視図）は、リセプタクルコネクタ１１が備える、合成樹脂等の絶縁材料によって形成された絶縁ハウジング１３（第１の絶縁ハウジング），絶縁ハウジング１３に配列配置される複数のリセプタクル側コンタクト１４（第１のコンタクト）及び一対の固定金具１５、及び、絶縁ハウジング１３に装着されるリセプタクル側導電性シェル１６（第１の導電性シェル）の夫々を、互いに分離された状態をもって示す。
【００２７】
絶縁ハウジング１３は、配線基板１２における図１において上方に向いた面（以下、上面という。）に配されて固定される。そして、絶縁ハウジング１３には、その長手方向に伸びる係合凸部１７が設けられており、係合凸部１７における各々が絶縁ハウジング１３の長手方向に伸びるものとされた一対の並行外壁面部１７ａ及び１７ｂの夫々には、複数の溝部１８が一定の間隔をおいて配列形成されている。さらに、絶縁ハウジング１３における係合凸部１７には、その長手方向の両端部の夫々に、一対の係合凹部１９が形成されている。このような絶縁ハウジング１３の長手方向に伸びる係合凸部１７は、絶縁ハウジング１３における長手方向の両端を成す一対の端部２０及び２１によって挟まれている。
【００２８】
複数のリセプタクル側コンタクト１４は、絶縁ハウジング１３の係合凸部１７における一対の並行外壁面部１７ａ及び１７ｂに形成された複数の溝部１８に夫々収容されて、各々の接触部１４ａ（第１の接触部）を係合凸部１７における一対の並行外壁面部１７ａ及び１７ｂのうちの一方からその外方に臨ませるものとされている。複数の溝部１８に夫々収容された複数のリセプタクル側コンタクト１４は、夫々が絶縁ハウジング１３の長手方向に伸びて並行する２個の列を成して配列配置されていることになる。
【００２９】
複数のリセプタクル側コンタクト１４の夫々は、弾性を有した導電性板材により形成された屈曲帯状部材を成すものとされており、図２における V−V 線断面を示す図５に示されるように、絶縁ハウジング１３における係合凸部１７に形成された複数の溝部１８に収容されたもとにおいて、係合凸部１７における一対の並行外壁面部１７ａ及び１７ｂのうちの一方からその外方に臨む接触部１４ａ、接触部１４ａから伸びて係合凸部１７により保持される被保持部１４ｂ、及び、被保持部１４ｂから屈曲して伸びて係合凸部１７の外部に露出する基板接続部１４ｃ（第１の基板接続部）を有している。複数のリセプタクル側コンタクト１４が夫々有する複数の基板接続部１４ｃは、絶縁ハウジング１３が配された配線基板１２の上面に設けられた配線端子（図示が省略されている。）に、例えば、半田付けによって接続される。
【００３０】
一対の固定金具１５は、複数のリセプタクル側コンタクト１４が成す並行する２個の列を絶縁ハウジング１３の長手方向において挟む位置に配されるものとされており、各固定金具１５は、絶縁ハウジング１３における係合凸部１７に形成された一対の係合凹部１９に夫々係合する一対の係合腕部１５ａと、絶縁ハウジング１３の端部２０及び２１の各々と絶縁ハウジング１３が配された配線基板１２の上面との間に配されて配線基板１２の上面に設けられた半田付パターン部１２ａ（図１）に半田付け接続される半田付け部１５ｂと、を有している。そして、一対の固定金具１５の夫々は、その一対の係合腕部１５ａが絶縁ハウジング１３における係合凸部１７に形成された一対の係合凹部１９に夫々係合したもとで、その半田付け部１５ｂが配線基板１２の上面に設けられた半田付パターン部１２ａに半田付けされることにより、絶縁ハウジング１３の配線基板１２の上面における固定に貢献する。
【００３１】
このようなもとにあっては、絶縁ハウジング１３における係合凸部１７は、相互対向する２個の列を成して配列配置された複数のリセプタクル側コンタクト１４の配列方向に伸びるものとされており、それに伴って、係合凸部１７における複数の溝部１８が形成された一対の並行外壁面部１７ａ及び１７ｂの夫々も、複数のリセプタクル側コンタクト１４の配列方向に伸びるものとされていることになる。また、相互対向する２個の列を成して配列配置された複数のリセプタクル側コンタクト１４が夫々有する複数の接触部１４ａは、絶縁ハウジング１３の係合凸部１７における各々が複数のリセプタクル側コンタクト１４の配列方向に伸びる一対の並行外壁面部１７ａ及び１７ｂに夫々配列配置された２個の接触部群（第１及び第２の接触部群）を成していることになる。
【００３２】
リセプタクル側導電性シェル１６は、図４に示される様に、各々が弾性を具えた導電性板材に屈曲加工が施されて形成された一対のシェル半体２２及び２３とによって構成されている。シェル半体２２は、絶縁ハウジング１３における端部２０に係合固定される係合腕部２４と、絶縁ハウジング１３における端部２１に係合固定される係合腕部２５と、係合腕部２４と係合腕部２５とを連結する帯状部２６とを有しており、帯状部２６には、複数の弾性接触片２６ａが設けられている。同様に、シェル半体２３も、絶縁ハウジング１３における端部２０に係合固定される係合腕部２７と、絶縁ハウジング１３における端部２１に係合固定される係合腕部２８と、係合腕部２７と係合腕部２８とを連結する帯状部２９とを有しており、帯状部２９には、複数の弾性接触片２９ａが設けられている。
【００３３】
一対のシェル半体２２及び２３とによって構成されるリセプタクル側導電性シェル１６が絶縁ハウジング１３に装着されたもとにあっては、シェル半体２２が、係合腕部２４が絶縁ハウジング１３における端部２０に係合固定されるとともに係合腕部２５が絶縁ハウジング１３における端部２１に係合固定されて、帯状部２６が絶縁ハウジング１３の長手方向に伸びて、絶縁ハウジング１３の係合凸部１７における一対の並行外壁面部１７ａ及び１７ｂのうちの一方に所定の間隔をおいて対向するものとされ、また、シェル半体２３が、係合腕部２７が絶縁ハウジング１３における端部２０に係合固定されるとともに係合腕部２８が絶縁ハウジング１３における端部２１に係合固定されて、帯状部２９が絶縁ハウジング１３の長手方向に伸びて、絶縁ハウジング１３の係合凸部１７における一対の並行外壁面部１７ａ及び１７ｂのうちの他方に所定の間隔をおいて対向するものとされる。その際、シェル半体２２の係合腕部２４の先端部分とシェル半体２３の係合腕部２７の先端部分とが相互近接対向するものとされるとともに、シェル半体２２の係合腕部２５の先端部分とシェル半体２３の係合腕部２８の先端部分とが相互近接対向するものとされて、シェル半体２２とシェル半体２３とがリセプタクル側導電性シェル１６を環状体を成すものとして形成する状態におかれる。それにより、リセプタクル側導電性シェル１６は、絶縁ハウジング１３及び絶縁ハウジング１３における係合凸部１７に配列配置された複数のリセプタクル側コンタクト１４を、係合凸部１７の外部に露出するものとして複数のリセプタクル側コンタクト１４が夫々有する複数の基板接続部１４ｃの外側において包囲するものとされる。
【００３４】
このようにして、絶縁ハウジング１３に装着されて、複数のリセプタクル側コンタクト１４を複数の基板接続部１４ｃの外側において包囲するものとされたリセプタクル側導電性シェル１６は、絶縁ハウジング１３が配された配線基板１２の上面に設けられた接地電位部１２ｂ（図１）に電気的に接続されて、接地電位が与えられる。それにより、リセプタクル側導電性シェル１６は、各々が基板接続部１４ｃを有した複数のリセプタクル側コンタクト１４に対する電磁シールド作用をもたらす。
【００３５】
図６（斜視図）は、本願発明に係る配線基板連結装置の一例を、図１及び図２に示されるリセプタクルコネクタ１１と共に構成する、第２のコネクタを成すプラグコネクタ３１を、それが取り付けられた配線基板３２（第２の配線基板）を仮想線をもってあらわすもとで示し、図７（側面図）は、本願発明に係る配線基板連結装置の一例を、図１及び図２に示されるリセプタクルコネクタ１１と共に構成する、第２のコネクタを成すプラグコネクタ３１及びプラグコネクタ３１が取り付けられた配線基板３２を示す。また、図８（斜視図）及び図９（斜視図）は、プラグコネクタ３１が備える、合成樹脂等の絶縁材料によって形成された絶縁ハウジング３３（第２の絶縁ハウジング），絶縁ハウジング３３に配列配置される複数のプラグ側コンタクト３４（第２のコンタクト）及び一対の固定金具３５、及び、絶縁ハウジング３３に装着されるプラグ側導電性シェル３６（第２の導電性シェル）の夫々を、互いに分離された状態をもって示す。
【００３６】
絶縁ハウジング３３は、図６において仮想線によりあらわされた配線基板３２における図６において下方に向いた面（以下、下面という。）に配されて固定される。そして、絶縁ハウジング３３は、図８に示されるように、図１に示されるレセプタクルコネクタ１１の絶縁ハウジング１３に設けられた係合凸部１７に外嵌係合する環状体を成すものとされている。そして、絶縁ハウジング３３が成す環状体の内側部分における各々が絶縁ハウジング３３の長手方向に伸びるものとされた一対の相互対向する内壁面部３７ａ及び３７ｂの夫々には、複数の開口部３８が一定の間隔をおいて配列形成されている。さらに、絶縁ハウジング３３が成す環状体の内側部分における一対の相互対向する内壁面部３７ａ及び３７ｂの夫々には、その長手方向の両端部の夫々に、一対の係合切欠き部３９が形成されている。このような絶縁ハウジング３３が成す環状体の内側部分における一対の相互対向する内壁面部３７ａ及び３７ｂは、絶縁ハウジング３３における長手方向の両端を成す一対の端部４０及び４１によって挟まれている。
【００３７】
複数のプラグ側コンタクト３４は、絶縁ハウジング３３が成す環状体の内側部分に配されて、各々の接触部３４ａ（第２の接触部）を、絶縁ハウジング３３が成す環状体の内側部分における一対の相互対向する内壁面部３７ａ及び３７ｂの夫々に形成された開口部３８からその外方に臨ませるものとされている。絶縁ハウジング３３が成す環状体の内側部分に配された複数のプラグ側コンタクト３４は、夫々が絶縁ハウジング３３の長手方向に伸びる相互対向する２個の列を成して配列配置されていることになる。
【００３８】
複数のプラグ側コンタクト３４の夫々は、弾性を有した導電性板材により形成された屈曲帯状部材を成すものとされており、図７における X−X 線断面を示す図１０に示されるように、絶縁ハウジング３３が成す環状体の内側部分に配されたもとにおいて、絶縁ハウジング３３が成す環状体の内側部分における一対の相互対向する内壁面部３７ａ及び３７ｂの夫々に形成された開口部３８からその外方に臨む接触部３４ａ，接触部３４ａから伸びて絶縁ハウジング３３が成す環状体の内側部分により保持される被保持部３４ｂ、及び、被保持部３４ｂから屈曲して伸びて、絶縁ハウジング３３におけるそれが成す環状体により包囲された内側空間Ｓ内に突出する基板接続部３４ｃ（第２の基板接続部）を有している。複数のプラグ側コンタクト３４が夫々有する、絶縁ハウジング３３が成す環状体により包囲された内側空間Ｓ内に突出した複数の基板接続部３４ｃは、絶縁ハウジング３３が配された配線基板３２の下面に設けられた配線端子（図示が省略されている。）に、例えば、半田付けによって接続される。なお、絶縁ハウジング３３が成す環状体により包囲された内側空間Ｓ内における複数の基板接続部３４ｃの、配線基板３２の下面に設けられた配線端子に対する、例えば、半田付けによる接続状態は、絶縁ハウジング３３の外部から内側空間Ｓを通じた目視による適否確認が可能なものとされる。
【００３９】
一対の固定金具３５は、図８に示される様に、複数のプラグ側コンタクト３４が成す相互対向する２個の列を絶縁ハウジング３３の長手方向において挟む位置に配されるものとされており、各固定金具３５は、絶縁ハウジング３３が成す環状体の内側部分における一対の相互対向する内壁面部３７ａ及び３７ｂの夫々の端部に形成された一対の係合切欠き部３９に夫々係合する一対の係合腕部３５ａと、絶縁ハウジング３３の端部４０及び４１の各々と絶縁ハウジング３３が配された配線基板３２の下面との間に配されて配線基板３２の下面に設けられた半田付パターン部（図示が省略されている。）に半田付け接続される半田付け部３５ｂと、を有している。そして、一対の固定金具３５の夫々は、その一対の係合腕部３５ａが絶縁ハウジング３３が成す環状体の内側部分における一対の相互対向する内壁面部３７ａ及び３７ｂの夫々の端部に形成された一対の係合切欠き部３９に夫々係合したもとで、その半田付け部３５ｂが配線基板３２の下面に設けられた半田付パターン部に半田付けされることにより、絶縁ハウジング３３の配線基板３２の下面における固定に貢献する。
【００４０】
このようなもとにあっては、絶縁ハウジング３３が成す環状体の内側部分における一対の相互対向する内壁面部３７ａ及び３７ｂの夫々は、相互対向する２個の列を成して配列配置された複数のプラグ側コンタクト３４の配列方向に伸びるものとされていることになる。また、相互対向する２個の列を成して配列配置された複数のプラグ側コンタクト３４が夫々有する複数の接触部３４ａは、絶縁ハウジング３３が成す環状体の内側部分における、各々が複数のプラグ側コンタクト３４の配列方向に伸びるものとされた一対の相互対向する内壁面部３７ａ及び３７ｂに夫々配列配置された２個の接触部群（第３及び第４の接触部群）を成していることになる。
【００４１】
プラグ側導電性シェル３６は、図９に示される様に、各々が弾性を具えた導電性板材に屈曲加工が施されて形成された一対のシェル半体４２及び４３とによって構成されている。シェル半体４２は、絶縁ハウジング３３における端部４０に係合固定される係合腕部４４と、絶縁ハウジング３３における端部４１に係合固定される係合腕部４５と、係合腕部４４と係合腕部４５とを連結する帯状部４６とを有していて、係合腕部４４には基板接続部４４ａが設けられているとともに、係合腕部４５には基板接続部４５ａが設けられており、さらに、帯状部４６には、複数の基板接続部４６ａが設けられている。同様に、シェル半体４３も、絶縁ハウジング３３における端部４０に係合固定される係合腕部４７と、絶縁ハウジング３３における端部４１に係合固定される係合腕部４８と、係合腕部４７と係合腕部４８とを連結する帯状部４９とを有していて、係合腕部４７には基板接続部４７ａが設けられているとともに、係合腕部４８には基板接続部４８ａが設けられており、さらに、帯状部４９には、複数の基板接続部４９ａが設けられている。
【００４２】
一対のシェル半体４２及び４３とによって構成されるプラグ側導電性シェル３６が絶縁ハウジング３３に装着されたもとにあっては、シェル半体４２が、係合腕部４４が絶縁ハウジング３３における端部４０に係合固定されるとともに係合腕部４５が絶縁ハウジング３３における端部４１に係合固定され、帯状部４６が絶縁ハウジング３３が成す環状体における各々が絶縁ハウジング３３の長手方向に延びる一対の相互対向する外壁面部５０ａ及び５０ｂのうちの一方である外壁面部５０ａに係合固定されたものとされ、また、シェル半体４３が、係合腕部４７が絶縁ハウジング３３における端部４０に係合固定されるとともに係合腕部４８が絶縁ハウジング３３における端部４１に係合固定され、帯状部４９が絶縁ハウジング３３が成す環状体における各々が絶縁ハウジング３３の長手方向に延びる一対の相互対向する外壁面部５０ａ及び５０ｂのうちの他方である外壁面部５０ｂに係合固定されたものとされる。その際、シェル半体４２の係合腕部４４の先端部分とシェル半体４３の係合腕部４７の先端部分とが相互近接対向するものとされるとともに、シェル半体４２の係合腕部４５の先端部分とシェル半体４３の係合腕部４８の先端部分とが相互近接対向するものとされて、シェル半体４２とシェル半体４３とが、プラグ側導電性シェル３６を、環状体を成して絶縁ハウジング３３の外周を包囲するものとして形成する状態におかれる。それにより、プラグ側導電性シェル３６は、絶縁ハウジング３３及び絶縁ハウジング３３が成す環状体の内側部分に配列配置された複数のプラグ側コンタクト３４を、絶縁ハウジング３３の外側、従って、絶縁ハウジング３３におけるそれが成す環状体により包囲された内側空間Ｓ内に突出するものとして複数のプラグ側コンタクト３４が夫々有する複数の基板接続部３４ｃの外側において包囲するものとされる。
【００４３】
このようにして、絶縁ハウジング３３に装着されて、複数のプラグ側コンタクト３４を複数の基板接続部３４ｃの外側において包囲するものとされたプラグ側導電性シェル３６は、シェル半体４２における係合腕部４４に設けられた基板接続部４４ａ，係合腕部４５に設けられた基板接続部４５ａ及び帯状部４６に設けられた複数の基板接続部４６ａ、さらには、シェル半体４３における係合腕部４７に設けられた基板接続部４７ａ，係合腕部４８に設けられた基板接続部４８ａ及び帯状部４９に設けられた複数の基板接続部４９ａが、絶縁ハウジング３３が配された配線基板３２の下面に設けられた接地電位部（図示が省略されている。）に、例えば、半田付けによって電気的に接続されて、接地電位が与えられる。それにより、プラグ側導電性シェル３６は、各々が基板接続部３４ｃを有した複数のプラグ側コンタクト３４に対する電磁シールド作用をもたらす。
【００４４】
このようなもとで、配線基板３２におけるプラグコネクタ３１の絶縁ハウジング３３が固定された下面が、配線基板１２におけるリセプタクルコネクタ１１の絶縁ハウジング１３が固定された上面に対向するものとされて、配線基板３２が配線基板１２に対面近接して重ね合わせられるとき、本願発明に係る配線基板連結装置の一例を構成する第１のコネクタ及び第２のコネクタを夫々成すリセプタクルコネクタ１１及びプラグコネクタ３１が、プラグコネクタ３１が備える絶縁ハウジング３３をリセプタクルコネクタ１１が備える絶縁ハウジング１３に係合させて、相互係合状態をとる。
【００４５】
その際には、先ず、配線基板１２を伴ったリセプタクルコネクタ１1 と配線基板３２を伴ったプラグコネクタ３１とが相互対向配置される。このとき、プラグコネクタ３１の絶縁ハウジング３３が、リセプタクルコネクタ１１の絶縁ハウジング１３に、その長手方向が絶縁ハウジング１３の長手方向と平行となるようにして対向せしめられ、プラグコネクタ３１の絶縁ハウジング３３に配列配置された複数のプラグ側コンタクト３４が、リセプタクルコネクタ１１の絶縁ハウジング１３に配列配置された複数のリセプタクル側コンタクト１４に夫々対応する位置をとるものとされる。
【００４６】
次に、配線基板３２が、プラグコネクタ３１の絶縁ハウジング３３が固定された下面を、配線基板１２のリセプタクルコネクタ１１の絶縁ハウジング１３が固定された上面に近接させる位置をとって、配線基板１２に対面近接して重ね合わせられると、図１１（側面図）に示されるように、プラグコネクタ３１の絶縁ハウジング３３がリセプタクルコネクタ１１の絶縁ハウジング１３と各々の長手方向を一致させたもとでの係合状態をとり、配線基板３２を伴ったプラグコネクタ３１と配線基板１２を伴ったリセプタクルコネクタ１１とが相互係合状態におかれる。
【００４７】
斯かる際には、図１１における XII−XII 線断面をあらわす図１２に示されるように、プラグコネクタ３１の絶縁ハウジング３３が成す環状体がリセプタクルコネクタ１１の絶縁ハウジング１３に設けられた係合凸部１７に外嵌係合し、プラグコネクタ３１の絶縁ハウジング３３が成す環状体の内側部分における一対の相互対向する内壁面部３７ａ及び３７ｂの夫々に配列配置された複数のプラグ側コンタクト３４における接触部３４ａが、リセプタクルコネクタ１１の絶縁ハウジング１３に設けられた係合凸部１７における一対の並行外壁面部１７ａ及び１７ｂの夫々に配列配置された複数のリセプタクル側コンタクト１４における接触部１４ａに夫々接触接続される。それにより、複数のプラグ側コンタクト３４における基板接続部３４ｃが、プラグコネクタ３１の絶縁ハウジング３３が成す環状体体により包囲された内側空間Ｓ内において夫々接続された配線基板３２に設けられた複数の配線端子部が、複数のプラグ側コンタクト３４及び複数のリセプタクル側コンタクト１４を介して、複数のリセプタクル側コンタクト１４における基板接続部１４ｃが、リセプタクルコネクタ１１の絶縁ハウジング１３に設けられた係合凸部１７外において夫々接続された配線基板１２に設けられた複数の配線端子部に夫々連結され、配線基板１２と配線基板３２とが電気的に相互連結される。
【００４８】
また、このとき、プラグコネクタ３１のプラグ側導電性シェル３６におけるシェル半体４２の帯状部４６が、リセプタクルコネクタ１１のリセプタクル側導電性シェル１６におけるシェル半体２２の帯状部２６の内側に挿入されるとともに、プラグコネクタ３１のプラグ側導電性シェル３６におけるシェル半体４３の帯状部４９が、リセプタクルコネクタ１１のリセプタクル側導電性シェル１６におけるシェル半体２３の帯状部２９の内側に挿入されて、リセプタクル側導電性シェル１６におけるシェル半体２２の帯状部２６に設けられた複数の弾性接触片２６ａがプラグ側導電性シェル３６におけるシェル半体４２の帯状部４６に当接接触するとともに、リセプタクル側導電性シェル１６におけるシェル半体２３の帯状部２９に設けられた複数の弾性接触片２９ａがプラグ側導電性シェル３６におけるシェル半体４３の帯状部４９に当接接触する。リセプタクル側導電性シェル１６は、配線基板１２の上面に設けられた接地電位部に電気的に接続されて接地電位が与えられており、また、プラグ側導電性シェル３６も、配線基板３２の下面に設けられた接地電位部に電気的に接続されて接地電位が与えられているので、リセプタクル側導電性シェル１６及びプラグ側導電性シェル３６は、各々が基板接続部３４ｃを有した複数のプラグ側コンタクト３４及び各々が基板接続部１４ｃを有した複数のリセプタクル側コンタクト１４に対して電磁シールド作用をもたらす。
【００４９】
なお、複数の弾性接触片２６ａがプラグ側導電性シェル３６におけるシェル半体４２の帯状部４６に当接接触するものとされたリセプタクル側導電性シェル１６におけるシェル半体２２の帯状部２６は、シェル半体４２の帯状部４６及びプラグコネクタ３１の絶縁ハウジング３３を介して、プラグコネクタ３１の絶縁ハウジング３３が成す環状体の内側部分における内壁面部３７ａに配列配置された複数のプラグ側コンタクト３４における接触部３４ａを、リセプタクルコネクタ１１の絶縁ハウジング１３に設けられた係合凸部１７における並行外壁面部１７ａに配列配置された複数のリセプタクル側コンタクト１４における接触部１４ａに押圧当接させる役割を果たす。また、同様に、複数の弾性接触片２９ａがプラグ側導電性シェル３６におけるシェル半体４３の帯状部４９に当接接触するものとされたリセプタクル側導電性シェル１６におけるシェル半体２３の帯状部２９は、シェル半体４３の帯状部４９及びプラグコネクタ３１の絶縁ハウジング３３を介して、プラグコネクタ３１の絶縁ハウジング３３が成す環状体の内側部分における内壁面部３７ｂに配列配置された複数のプラグ側コンタクト３４における接触部３４ａを、リセプタクルコネクタ１１の絶縁ハウジング１３に設けられた係合凸部１７における並行外壁面部１７ｂに配列配置された複数のリセプタクル側コンタクト１４における接触部１４ａに押圧当接させる。
【００５０】
上述のようなリセプタクルコネクタ１１とプラグコネクタ３１とを含んで構成される本願発明に係る配線基板連結装置の一例にあっては、プラグコネクタ３１が備える絶縁ハウジング３３が、リセプタクルコネクタ１１が備える絶縁ハウジング１３に設けられた係合凸部１７に外嵌係合する環状体を成し、各々に基板接続部３４ｃが設けられた複数のプラグ側コンタクト３４の夫々が、絶縁ハウジング３３が成す環状体の内側部分に配されて、リセプタクル側コンタクト１４における接触部１４ａに接触する状態をとる接触部３４ａと接触部３４ａから伸びて絶縁ハウジング３３により保持された被保持部３４ｂとを有していて、基板接続部３４ｃが被保持部３４ｂから屈曲して伸びて絶縁ハウジング３３における当該絶縁ハウジング３３が成す環状体により包囲された内側空間Ｓ内に突出するものとされる。それにより、複数のプラグ側コンタクト３４の夫々が有する接触部３４ａが、例えば、相互対向する一対の導電部材によって形成される構成をとることなく、単一の導電部材によって形成され得るものとされ、また、複数のプラグ側コンタクト３４の夫々が有する基板接続部３４ｃが、絶縁ハウジング３３の外周部からその外方に突出しないものとされる。
【００５１】
その結果、リセプタクルコネクタ１１とプラグコネクタ３１とを含んで構成される配線基板連結装置によれば、プラグコネクタ３１についての複数のプラグ側コンタクト３４の配列方向に直交する方向の寸法の低減を図ることができ、複数のプラグ側コンタクト３４の夫々が有する基板接続部３４ｃが半田付けされる配線端子部が設けられた配線基板３２の下面におけるプラグコネクタ３１の取付けに要される面積を低減させて、配線基板３２における部品搭載利用率を向上させることができる。しかも、複数のプラグ側コンタクト３４の夫々が有する基板接続部３４ｃが、配線基板３２の下面に設けられた配線端子部に適正に半田付けされているか否かの目視による確認を、絶縁ハウジング３３が成す環状体により包囲された内側空間Ｓを通じて確実に行うことができる。
【００５２】
また、リセプタクルコネクタ１１とプラグコネクタ３１とを含んで構成される配線基板連結装置にあっては、プラグコネクタ３１における複数のプラグ側コンタクト３４の夫々に、絶縁ハウジング３３が成す環状体の内側部分に配された接触部３４ａから伸びて絶縁ハウジング３３により保持された被保持部３４ｂが設けられており、その被保持部３４ｂから基板接続部３４ｃが屈曲して伸びて絶縁ハウジング３３における当該絶縁ハウジング３３が成す環状体により包囲された内側空間Ｓ内に突出するものとされたもとで、リセプタクルコネクタ１１における複数のリセプタクル側コンタクト１４の夫々が、絶縁ハウジング１３における係合凸部１７に配された接触部１４ａから伸びて係合凸部１７により保持された被保持部１４ｂを有していて、その被保持部１４ｂから基板接続部１４ｃが屈曲して伸びて係合凸部１７の外部に露出するものとされる。それにより、複数のリセプタクル側コンタクト１４の夫々が有する接触部１４ａが、例えば、相互対向する一対の導電部材によって形成される構成をとることなく、単一の導電部材によって形成され得るものとされ、また、複数のリセプタクル側コンタクト１４の夫々が有する基板接続部１４ｃが、絶縁ハウジング１３の外周部からその外方に突出しないものとされる。
【００５３】
その結果、リセプタクルコネクタ１１とプラグコネクタ３１とを含んで構成される配線基板連結装置によれば、プラグコネクタ３１についての複数のプラグ側コンタクト３４の配列方向に直交する方向の寸法の低減を図ることができることに加えて、リセプタクルコネクタ１１についての複数のリセプタクル側コンタクト１４の配列方向に直交する方向の寸法の低減を図ることができ、複数のリセプタクル側コンタクト１４の夫々が有する基板接続部１４ｃが半田付けされる配線端子部が設けられた配線基板１２の上面におけるリセプタクルコネクタ１１の取付けに要される面積を低減させて、配線基板１２における部品搭載利用率を向上させることができる。
【００５４】
さらに、リセプタクルコネクタ１１とプラグコネクタ３１とを含んで構成される配線基板連結装置にあっては、リセプタクルコネクタ１１が、絶縁ハウジング１３及びそれに配列配置された複数のリセプタクル側コンタクト１４を、複数のリセプタクル側コンタクト１４が夫々有する複数の基板接続部１４ｃの外側において包囲して配され、配線基板１２における接地電位部に接続されたリセプタクル側導電性シェル１６を備えたものとされ、かつ、プラグコネクタ３１が、絶縁ハウジング３３をその外側において包囲して配され、配線基板３２における接地電位部に接続されたプラグ側導電性シェル３６を備えたものとされる。そして、斯かるもとで、リセプタクルコネクタ１１が備えるリセプタクル側導電性シェル１６は、各々が基板接続部１４ｃを有した複数のリセプタクル側コンタクト１４に対する電磁シールド作用をもたらし、また、プラグコネクタ３１が備えるプラグ側導電性シェル３６は、各々が基板接続部３４ｃを有した複数のプラグ側コンタクト３４に対する電磁シールド作用をもたらす。
【００５５】
その結果、リセプタクルコネクタ１１とプラグコネクタ３１とを含んで構成される配線基板連結装置によれば、リセプタクルコネクタ１１が備える複数のリセプタクル側コンタクト１４及びプラグコネクタ３１が備える複数のプラグ側コンタクト３４に高周波信号が流れるもとにおいても、リセプタクルコネクタ１１及びプラグコネクタ３１の夫々の寸法の拡大をまねくことなく、リセプタクルコネクタ１１が備えるリセプタクル側導電性シェル１６がもたらす電磁シールド作用あるいはプラグコネクタ３１が備えるプラグ側導電性シェル３６がもたらす電磁シールド作用によって、例えば、複数のリセプタクル側コンタクト１４及びプラグ側コンタクト３４からそれらの外部にとって不所望な電磁波が漏出される等の電磁障害を生じる事態を回避することができる。
【産業上の利用可能性】
【００５６】
以上のような本願発明に係る配線基板連結装置は、第１の配線基板と第２の配線基板とを対面近接重ね合わせ連結によって電気的に相互連結するための機構を成す配線基板連結装置であって、第１の配線基板に配される第１の絶縁ハウジング及び第１の絶縁ハウジングに配列配置された複数の第１のコンタクトを有した第１のコネクタと、第２の配線基板に配されて第１の絶縁ハウジングに係合する第２の絶縁ハウジング及び第２の絶縁ハウジングに配列配置されて複数の第１のコンタクトに夫々接触接続される複数の第２のコンタクトを有した第２のコネクタと、を含んで構成され、第１のコネクタ及び第２のコネクタについての複数の第１あるいは第２のコンタクトの配列方向に直交する方向の寸法の低減を図ることができ、さらには、第１のコネクタ及び第２のコネクタについての複数の第１あるいは第２のコンタクトの配列方向に直交する方向の寸法の低減が図られたもとで、各々が第１の基板接続部を有した複数の第１のコンタクト及び各々が第２の基板接続部を有した複数の第２のコンタクトに効果的な電磁シールド作用をもたらすものとすることができるものとして、様々な電子機器等に広く適用され得るものである。
【符号の説明】
【００５７】
１1 ・・・リセプタクルコネクタ（第１のコネクタ），  １２・・・配線基板（第１の配線基板），１３・・・絶縁ハウジング（第１の絶縁ハウジング），  １４・・・リセプタクル側コンタクト（第１のコンタクト），  １４ａ，３４ａ・・・接触部，  １４ｂ，３４ｂ・・・被保持部，  １４ｃ，３４ｃ，４４ａ，４５ａ，４６ａ，４７ａ，４８ａ，４９ａ・・・基板接続部，  １５，３５・・・固定金具，  １６・・・リセプタクル側導電性シェル，  １７・・・係合凸部，  １７ａ，１７ｂ・・・並行外壁面部，  １８・・・溝部，  １９，・・・係合凹部，  ２２，２３，４２，４３・・・シェル半体，  ２４，２５，２７，２８，４４，４５，４７，４８・・・係合腕部，  ２６，２９，４６，４９・・・帯状部，  ２６ａ，２９ａ・・・弾性接触片，  ３１・・・プラグコネクタ（第２のコネクタ），  ３２・・・配線基板（第２の配線基板），  ３３・・・絶縁ハウジング（第２の絶縁ハウジング），  ３４・・・プラグ側コンタクト（第２のコンタクト），  ３６・・・プラグ側導電性シェル，  ３７ａ，３７ｂ・・・内壁面部，  ３８・・・開口部，  ３９・・・係合切欠き部，  ５０ａ，５０ｂ・・・外壁面部，  Ｓ・・・内側空間
【図１】
2018190600.tif 000003
【図２】
2018190600.tif 000004
【図３】
2018190600.tif 000005
【図４】
2018190600.tif 000006
【図５】
2018190600.tif 000007
【図６】
2018190600.tif 000008
【図７】
2018190600.tif 000009
【図８】
2018190600.tif 000010
【図９】
2018190600.tif 000011
【図１０】
2018190600.tif 000012
【図１１】
2018190600.tif 000013
【図１２】
2018190600.tif 000014